(57)【要約】【課題】水位検出手段が故障していたとしても、オーバーフロー流路から確実に洗浄水を貯水タンクから便器本体に逃がすことができる水洗大便器を提供することを目的とする。【解決手段】水洗大便器１は、貯水タンク２０内に洗浄水が供給されるタンク給水時において上方フロートスイッチ６４ａもしくは下方フロートスイッチ６４ｂの異常を検知したとき、全洗浄水をタンク側に供給する状態（タンク１００％）から、全洗浄水のうちタンク側に２０〜３０％、リム側に７０〜８０％を供給する状態（タンク２０〜３０％、リム７０〜８０％）に給水路切替弁３６を切り替えて貯水タンク２０への洗浄水の供給を行なう。【選択図】図６
2018100575.tif 000002
【特許請求の範囲】
【請求項１】
加圧した洗浄水によって洗浄される水洗大便器であって、
洗浄水を吐出するリム吐水口及びジェット吐水口を有する便器本体と、
前記リム吐水口に洗浄水を供給するリム側給水路と、
前記ジェット吐水口に洗浄水を供給するジェット側給水路と、
前記便器本体の洗浄をするための洗浄水を貯水する貯水タンクと、
洗浄水を前記貯水タンクに供給する給水手段と、
前記貯水タンクに貯水された洗浄水を、前記リム側給水路もしくは前記ジェット側給水路を介して前記便器本体に圧送する加圧ポンプと、
前記貯水タンク内の上方に設けられ前記貯水タンク内に洗浄水が供給されるときの前記貯水タンク内の水位を検出する上方水位検出手段と、
この上方水位検出手段より所定量上方でその一端が開口し、前記貯水タンク内の水を前記リム吐水口または前記ジェット吐水口から前記便器本体に逃がすことが出来るオーバーフロー流路と、
前記貯水タンク内の下方に設けられ前記貯水タンクから前記便器本体に洗浄水が供給されるときの前記貯水タンク内の水位を検出する下方水位検出手段と、
前記上方水位検出手段および前記下方水位検出手段の検出に応じて、前記給水手段を制御して前記貯水タンクへ供給される洗浄水の流量を調整する制御手段と、
を備えており、
前記制御手段は、前記貯水タンク内に洗浄水が供給されるときにおいて前記上方水位検出手段もしくは前記下方水位検出手段の異常を検知したとき、前記貯水タンクに供給される洗浄水の流量が、前記貯水タンクから前記オーバーフロー流路へ流出可能な洗浄水の最大流量以下となるように前記給水手段を制御する水洗大便器。
【請求項２】
前記給水手段は、前記リム吐水口へ供給される洗浄水の流量と前記貯水タンクへ供給される洗浄水の流量を調整する給水路切替弁を有し、
前記制御手段は、前記貯水タンク内に洗浄水が供給されるときにおいて前記上方水位検出手段もしくは前記下方水位検出手段の異常を検知したとき、前記給水路切替弁を制御して前記リム吐水口へ供給される洗浄水の流量と前記貯水タンクへ供給される洗浄水の流量を調整する請求項１に記載の水洗大便器。
【請求項３】
前記制御手段は、前記貯水タンクが空状態のときに前記貯水タンクへの洗浄水の供給を開始させるタンク空給水時において、前記水洗大便器を施工してから初回の前記タンク空給水の場合は、前記貯水タンクに供給される洗浄水の流量が前記貯水タンクから前記オーバーフロー流路へ流出可能な洗浄水の最大流量より多くなるように前記給水手段を制御する請求項１又は２に記載の水洗大便器。
【発明の詳細な説明】
【技術分野】
【０００１】
本発明は、水洗大便器に係り、特に、洗浄水を貯水する貯水タンク及びこの貯水タンク内の水を便器本体に圧送する加圧ポンプを備える水洗大便器に関する。
【背景技術】
【０００２】
近年、水洗大便器において、貯水タンク内の洗浄水をポンプにより加圧し便器に供給するようになっている水洗大便器が知られている。
【先行技術文献】
【特許文献】
【０００３】
【特許文献１】特開２００９−２０７５号公報
【発明の概要】
【発明が解決しようとする課題】
【０００４】
特許文献１の水洗大便器においては、貯水タンク内への給水が開始されてから、貯水タンク内に設けられた水位検出手段としての上方フロートスイッチが貯水タンク内の水位上昇を検知したときに、貯水タンク内への給水を停止するように制御されている。そして、この上方フロートスイッチよりも上方でその一端が開口したオーバーフロー流路が設けられているため、上方フロートスイッチが故障した場合にも、オーバーフロー流路から貯水タンク内の洗浄水を便器本体のジェット側給水路もしくはリム側給水路に逃がすことができる。
【０００５】
しかし、近年では水洗大便器全体の小型化や性能向上のために、ジェット吐水口やリム吐水口を小さく設計することがある。これにより、貯水タンク内からオーバーフロー流路へ流出可能な洗浄水の最大流量が低下してしまう。そして、水タンク内からオーバーフロー流路へ流出可能な洗浄水の最大流量に対して貯水タンク内へ給水される洗浄水の流量の方が多くなった場合、貯水タンクの止水水位よりも上方に供給される洗浄水をオーバーフロー流路から確実に逃がすことができなくなり、貯水タンク内の水位がオーバーフロー流路の開口よりも上方に上昇してしまう。これにより、給水路や吸気口に設けられる逆止弁が故障していた場合に、貯水タンク内の洗浄水が給水路へ逆流したり吸気口から溢れたりする虞がある。
【０００６】
本発明は、上述した問題を解決するためになされたものであり、水位検出手段が故障していたとしても、オーバーフロー流路から確実に洗浄水を貯水タンクから便器本体に逃がすことができる水洗大便器を提供することを目的とする。
【０００７】
本発明の一態様に関わる水洗大便器は、加圧した洗浄水によって洗浄される水洗大便器であって、洗浄水を吐出するリム吐水口及びジェット吐水口を有する便器本体と、前記リム吐水口に洗浄水を供給するリム側給水路と、前記ジェット吐水口に洗浄水を供給するジェット側給水路と、前記便器本体の洗浄をするための洗浄水を貯水する貯水タンクと、洗浄水を前記貯水タンクに供給する給水手段と、前記貯水タンクに貯水された洗浄水を、前記リム側給水路もしくは前記ジェット側給水路を介して前記便器本体に圧送する加圧ポンプと、前記貯水タンク内の上方に設けられ前記貯水タンク内に洗浄水が供給されるときの前記貯水タンク内の水位を検出する上方水位検出手段と、この上方水位検出手段より所定量上方でその一端が開口し、前記貯水タンク内の水を前記リム吐水口または前記ジェット吐水口から前記便器本体に逃がすことが出来るオーバーフロー流路と、前記貯水タンク内の下方に設けられ前記貯水タンクから前記便器本体に洗浄水が供給されるときの前記貯水タンク内の水位を検出する下方水位検出手段と、前記上方水位検出手段および前記下方水位検出手段の検出に応じて、前記給水手段を制御して前記貯水タンクへ供給される洗浄水の流量を調整する制御手段と、を備えており、前記制御手段は、前記貯水タンク内に洗浄水が供給されるときにおいて前記上方水位検出手段もしくは前記下方水位検出手段の異常を検知したとき、前記貯水タンクに供給される洗浄水の流量が、前記貯水タンクから前記オーバーフロー流路へ流出可能な洗浄水の最大流量以下となるように前記給水手段を制御する。
【０００８】
この構成によれば、上方水位検出手段もしくは下方水位検出手段が故障していたとしても、貯水タンク内の洗浄水をオーバーフロー流路から確実に便器本体へ逃がすことができるため、貯水タンク内の洗浄水が逆流したり貯水タンク外へ溢れたりすることを防止することができる。さらに、貯水タンク内を確実に満水にすることができるため、上方水位検出手段もしくは下方水位検出手段が故障していたとしても、水洗大便器を不便なく使用することができる。
【０００９】
本発明の一態様に係る水洗大便器において、好ましくは、前記給水手段は、前記リム吐水口へ供給される洗浄水の流量と前記貯水タンクへ供給される洗浄水の流量を調整する給水路切替弁を有し、前記制御手段は、前記貯水タンク内に洗浄水が供給されるときにおいて前記上方水位検出手段もしくは前記下方水位検出手段の異常を検知したとき、前記給水路切替弁を制御して前記リム吐水口へ供給される洗浄水の流量と前記貯水タンクへ供給される洗浄水の流量を調整する。
【００１０】
この構成によれば、上方水位検出手段もしくは下方水位検出手段の異常を検知したとき、給水路切替弁によってリム吐水口へ供給される洗浄水の流量と貯水タンクへ供給される洗浄水の流量を調整することにより、貯水タンク内の洗浄水をオーバーフロー流路から確実に便器本体へ逃がすことができるとともに、リム吐水口から洗浄水が吐水されるはずでないタイミングで吐水が行なわれるため使用者が上方水位検出手段もしくは下方水位検出手段の異常に気付くことができる。
【００１１】
本発明の一態様に係る水洗大便器において、好ましくは、前記制御手段は、前記貯水タンクが空状態のときに前記貯水タンクへの洗浄水の供給を開始させるタンク空給水時において、前記水洗大便器を施工してから初回の前記タンク空給水の場合は、前記貯水タンクに供給される洗浄水の流量が前記貯水タンクから前記オーバーフロー流路へ流出可能な洗浄水の最大流量より多くなるように前記給水手段を制御する。
【００１２】
この構成によれば、水洗大便器を施工してから初回のタンク空給水時という貯水タンク内が確実に空状態のときにおいては、貯水タンク内に供給される洗浄水の流量をできるだけ多くしてなるべく早く貯水タンク内を満水状態にすることにより、水洗大便器を施工してから水洗大便器を使える状態にするまでに掛かる時間を短縮することができる。
【発明の効果】
【００１３】
本発明によれば、水位検出手段が故障していたとしても、オーバーフロー流路から確実に洗浄水を貯水タンクから便器本体に逃がすことができる水洗大便器である。
【図面の簡単な説明】
【００１４】
【図１】本発明の実施形態による水洗大便器の側面図である。
【図２】図１に示す水洗大便器の平面図である。
【図３】本発明の実施形態による水洗大便器を示す全体構成図である。
【図４】本発明の実施形態による水洗大便器のタンク空給水について説明したフローチャートである。
【図５】本発明の実施形態による水洗大便器の便器洗浄開始からタンク給水開始までについて説明したフローチャートである。
【図６】本発明の実施形態による水洗大便器のタンク給水について説明したフローチャートである。
【発明を実施するための形態】
【００１５】
以下、本発明の実施の形態について添付図面を参照しながら説明する。なお、各図面中、同様の構成要素には同一の符号を付して詳細な説明は適宜省略する。
【００１６】
先ず、図１乃至図３により、本発明の実施形態による水洗大便器の構造を説明する。図１は、本発明の実施形態による水洗大便器の側面図である。図２は、図１に示す水洗大便器の平面図である。図３は、本発明の実施形態による水洗大便器を示す全体構成図である。
【００１７】
図１及び図２に示すように、本発明の実施形態による水洗大便器１は、便器本体２と、この便器本体２の上面に配置された便座４と、便座４を覆うように配置されたカバー６と、便器本体の後方上部に配置された局部洗浄装置８と、を備えている。さらに、便器本体２の後方には、機能部１０が配置されており、この機能部１０はサイドパネル１１により覆われている。
【００１８】
便器本体２には、汚物を受けるボウル部１２と、このボウル部１２の底部から延びる排水トラップ管路１４と、排水トラップ管路１４の下端に接続された排水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００１９】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。トラップ下降管１４ｃの下端に上述した排水管１５が接続されている。
【００２０】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２によって加圧して、大流量でジェット吐水口１６から吐出させるようになっている。
【００２１】
次に、図３により、本実施形態による水洗大便器１の機能部１０を詳細に説明する。
図３に示すように、機能部１０には、水道から洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。定流量弁３２は、止水栓２６、ストレーナ２８、分岐金具３０を介して流入した洗浄水を、所定の流量以下に絞るためのものである。
【００２２】
これらの定流量弁３２、電磁開閉弁３４、及び、給水路切替弁３６は、図３に示すように、バルブユニット３７（給水手段）として、一体的に組み立てられたものとなっている。また、給水路切替弁３６の下流側には、リム吐水口１８に洗浄水を供給するためのリム側給水路３８、及び、貯水タンク２０に洗浄水を供給するためのタンク側給水路４０が接続されている。
【００２３】
ここで、定流量弁３２を通過した洗浄水は、電磁開閉弁３４に流入し、電磁開閉弁３４を通過した洗浄水は、給水路切替弁３６により、リム側であるリム側給水路３８からリム吐水口１８へ、又は、タンク側であるタンク側給水路４０から貯水タンク２０に供給されるようになっている。給水路切替弁３６は、リム側給水路３８とタンク側給水路４０の両方に同じタイミングで洗浄水を供給可能であって、リム側とタンク側への給水量の割合を任意に変更出来る切替弁である。
これらの電磁開閉弁３４の開閉操作、及び、給水路切替弁３６の切替操作は、機能部１０のコントローラ６２（制御手段）により制御される。そして、電磁開閉弁３４を開弁して給水路切替弁３６がタンク側給水路４０に連通させることにより貯水タンクへ水を供給することができる。
【００２４】
また、貯水タンク２０の下部には、ジェット側給水路４６が接続されており、このジェット側給水路４６の下流端は、ジェット吐水口１６に接続されている。また、ジェット側給水路４６の途中に上述した加圧ポンプ２２が設けられている。この加圧ポンプ２２は、貯水タンク２０に貯水された洗浄水を加圧して、ジェット吐水口１６から吐出させるためのものである。加圧ポンプ２２の回転数や作動時間等は、機能部１０に設けられたコントローラ６２により制御される。
【００２５】
ジェット側給水路４６は、加圧ポンプ２２より上流側の上流ジェット側給水路４６ａと下流側の下流ジェット側給水路４６ｂとから構成されている。ここで、下流ジェット側給水路４６ｂは、図３に示すように、先ず、加圧ポンプ２２から上方に延び、水洗大便器１のボウル部１２の溜水面Ａよりも上方に配管が配置され、その後、配管が下方に向けて延びて構成されている。このように上方に向けた凸型に形成されている下流ジェット側給水路４６ｂにおいて、その凸型部分の最も高い部分である頂部４６ｃは、貯水タンク２０からジェット吐水口１６に至るジェット側給水路４６の中で最も高い部分になっている。
【００２６】
次に、上述したリム側給水路３８には、リム吐水用バキュームブレーカ４８が設けられており、給水路２４に負圧が発生したときに洗浄水のリム吐水口１８からの逆流を防止している。また、リム吐出用バキュームブレーカ４８は、図３に示すように、ボウル部１２の上端面よりも上方に配置され、これにより、逆流を確実に防止している。さらに、リム吐水用バキュームブレーカ４８の大気開放部から溢れた洗浄水は、戻り管路５０を通って貯水タンク２０に流入するようになっている。
タンク側給水路４０にも、逆止弁であるバキュームブレーカ４２が設けられており、洗浄水の貯水タンクからの逆流を防止している。
【００２７】
ここで、貯水タンク２０は、密閉タイプの貯水タンクであり、タンク側給水路４０と貯水タンク２０との接続部には、逆止弁４３が設けられている。この逆止弁４３により、貯水タンク２０が満水状態になった場合でも、逆止弁４３が浮上して、タンク側給水路４０との接続部を閉鎖するので、洗浄水がタンク側給水路４０に逆流することがないようになっている。
同様に、戻り管路５０と貯水タンク２０の接続部にも、逆止弁４４が設けられており、貯水タンク２０が満水状態となった場合でも、洗浄水が戻り管路５０に逆流することはないようになっている。
【００２８】
さらに、ジェット側給水路４６の上流ジェット側給水路４６ａには、逆止弁であるジェット吐水用フラッパー弁５６及び水抜栓５８が設けられている。これらのジェット吐水用フラッパー弁５６及び水抜栓５８は、加圧ポンプ２２よりも下方の、貯水タンク２０の下端部付近の高さに配置されている。このため、水抜栓５８を開放することにより、メンテナンス時等に貯水タンク２０内及び加圧ポンプ２２内の洗浄水を排水することができるようになっている。
【００２９】
また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け、加圧ポンプ２２が空運転してしまうことを防止している。また、加圧ポンプ２２の下方には、水受けトレイ６０が配置されており、結露した水滴や漏水を受けるようになっている。
【００３０】
さらに、貯水タンク２０の上方フロートスイッチ６４ａよりも上方位置に、その一端が開口し（開口７０ａ）、他端７０ｂが下流ジェット側給水路４６ｂに接続されたオーバーフロー流路７０が設けられている。このオーバーフロー流路７０には、逆止弁であるフラッパー弁７２が取り付けられている。
このオーバーフロー流路７０は、貯水タンク２０において、水位が開口７０ａより高くなるような場合、その貯水タンク２０内の水をジェット側給水路４６を介してジェット吐水口１６から便器本体２に逃がして、貯水タンク２０から水が溢れ出すことがないようにするものである。
【００３１】
また、このオーバーフロー流路７０及びフラッパー弁７２により、洗浄水のジェット吐水口１６からの逆流を防止すると共に、これらの間の縁切りを行うことができるようになっている。また、オーバーフロー流路７０の他端７０ｂが、ボウル部１２内の溜水の水位よりも上方に設けられているため、洗浄水のジェット吐水口１６からの逆流をより確実に防止するようにしている。
【００３２】
上述した電磁開閉弁３４、給水路切替弁３６、加圧ポンプ２２などの動作内容を説明する。コントローラ６２は、使用者による便器洗浄スイッチ（図示せず）の操作により、電磁開閉弁３４、給水路切替弁３６を作動させ、先ずリム吐水口１８から吐水し、リム吐水を継続させながら、次に加圧ポンプ２２を作動してジェット吐水口からの吐水を開始させて、サイホン作用を発生させてボウル部１２の溜水を汚物と共に排出洗浄する。さらに、コントローラ６２は、加圧ポンプ２２の作動停止した後もリム吐水を継続してボウル部１２に溜水を貯めて洗浄終了する。その洗浄終了後、給水路切替弁３６を貯水タンク２０側に切り替えて洗浄水を貯水タンク２０に補給する。貯水タンク２０内の水位が上昇し、上方フロートスイッチ６４ａが規定の貯水量を検出すると、コントローラ６２は、電磁開閉弁３４を閉鎖して給水を停止する。
【００３３】
次に、貯水タンク２０の内部には、上方フロートスイッチ６４ａ、及び、下方フロートスイッチ６４ｂが配置されている。上方フロートスイッチ６４ａは、貯水タンク２０内に洗浄水が供給されるときの貯水タンク２０内の水位を検出する上方水位検出手段であって、貯水タンク２０内の水位が所定の上方位置Ｌ１よりも上方へ上昇するとオフからオンに切り替わり、コントローラ６２はこれを検知して、電磁開閉弁３４を閉鎖させる。これにより、最終的に貯水タンク２０内に貯水される洗浄水は止水水位（ＷＦＬ）まで貯まる。下方フロートスイッチ６４ｂは、貯水タンク２０からジェット吐水口１６に洗浄水が供給されるときの貯水タンク２０内の水位を検出する下方水位検出手段であって、貯水タンク２０内の水位が所定の下方位置Ｌ３よりも下方へ下降するとオフからオンに切り替わる。
【００３４】
なお、給水路切替弁３６を貯水タンク２０側に切り替えて、全洗浄水をタンク側に供給する状態（タンク１００％）の場合、貯水タンク２０に供給される洗浄水の流量は、貯水タンク２０からオーバーフロー流路７０へ流出可能な洗浄水の最大流量よりも多くなる。一方で、給水路切替弁３６を切り替えて、全洗浄水のうち貯水タンク２０側に２０〜３０％以下で供給する状態の場合、貯水タンク２０に供給される洗浄水の流量は、貯水タンク２０からオーバーフロー流路７０へ流出可能な洗浄水の最大流量以下となる。
【００３５】
次に、図４〜６により、本実施形態による水洗大便器の動作フローについて説明する。図４は、本発明の実施形態による水洗大便器のタンク空給水について説明したフローチャートである。図５は、本発明の実施形態による水洗大便器の便器洗浄開始からタンク給水開始までについて説明したフローチャートである。図６は、本発明の実施形態による水洗大便器のタンク給水について説明したフローチャートである。
【００３６】
まず、図４に示すように、使用者によって便器洗浄スイッチ（図示せず）が押されると、コントローラ６２は、貯水タンク２０内が空状態であるか否かを判断する（Ｓ１，Ｓ２）。具体的には、使用者によって便器洗浄スイッチ（図示せず）が押されたときに、コントローラ６２は、上方フロートスイッチ６４ａがオフ、且つ下方フロートスイッチ６４ｂがオンであるか否かを判断する。
なお、便器洗浄スイッチは、便器本体２に供給される洗浄水の量が多くなる状態（大洗浄）と、便器本体２に供給される洗浄水の量が少なくなる状態（小洗浄）と、のいずれかを使用者が選択できるようになっている。
【００３７】
ステップＳ１において、貯水タンク２０内が空状態でなかった場合、つまり上方フロートスイッチ６４ａがオン、且つ下方フロートスイッチ６４ｂがオフであった場合、コントローラ６２は、便器本体２の洗浄を開始する便器洗浄が使用者によって指示されたと判断し、便器洗浄開始のステップに進む（Ｓ３）。便器洗浄開始後のフローについては、図５以降で詳しく説明する。
一方で、ステップＳ２において、貯水タンク２０内が空状態であった場合、つまり上方フロートスイッチ６４ａがオフ、且つ下方フロートスイッチ６４ｂがオンであった場合は、コントローラ６２は、貯水タンク２０が空状態のときに貯水タンク２０への洗浄水の供給を開始するタンク空給水が使用者によって指示されたと判断し、ステップＳ４へと進む。
なお、このタンク空給水は、水洗大便器１を施工した後に初めて貯水タンク２０への給水を行なう場合や、凍結や固着等の理由で貯水タンク２０内の水を一度全て抜いた後に再び貯水タンク２０への給水を行なう場合のものである。
【００３８】
そして、タンク空給水が開始される前に、ステップＳ４において、コントローラ６２は、水洗大便器１が施工されてから初回のタンク空給水であるか否かを判断する。
ステップＳ４において、水洗大便器１が施工されてから初回のタンク空給水であると判断した場合は、ステップＳ５へと進み、コントローラ６２は給水路切替弁３６を切り替え制御して、全洗浄水をリム側に供給する状態（リム１００％）にする。これにより、便器本体２の排水トラップ管路１４へと洗浄水を供給して排水トラップ管路１４内に溜水面Ａを形成させる。その後、コントローラ６２は給水路切替弁３６を切り替え制御して、全洗浄水をタンク側に供給する状態（タンク１００％）にし、貯水タンク２０が満水になるまで貯水タンク２０への給水を行なう（ステップＳ６，７）。ステップＳ７において、貯水タンク２０内が満水になったときに貯水タンク２０への給水を停止して（ステップＳ１０）、タンク空給水を終了する。
【００３９】
ステップＳ４において、水洗大便器１が施工されてから２回目以降のタンク空給水であると判断した場合は、コントローラ６２は給水路切替弁３６を切り替え制御して、全洗浄水のうちタンク側に２０〜３０％、リム側に７０〜８０％を供給する状態（タンク２０〜３０％、リム７０〜８０％）にし、タンク空給水を開始してから所定時間Ｔ０が経過するまで貯水タンク２０への給水を行い、貯水タンク２０内を満水にする（ステップＳ８，９）。これは、２回目以降のタンク空給水のときは、上方フロートスイッチ６４ａおよび下方フロートスイッチ６４ｂが故障して貯水タンク２０内が空状態の検出結果となっているだけで、実際はすでに貯水タンク２０内が満水であるという可能性があるため、このように制御している。ステップＳ９において、タンク空給水を開始してから所定時間Ｔ０が経過したときに貯水タンク２０への給水を停止して（ステップＳ１０）、タンク空給水を終了する。
【００４０】
次に、便器洗浄開始後のフローについて説明する。図５に示すように、図４におけるステップＳ３において便器洗浄が開始されると、リム吐水口１８からのリム吐水を開始する（ステップＳ１１）。つまり、コントローラ６２は給水路切替弁３６を切り替え制御して、全洗浄水をリム側に供給する状態（リム１００％）にし、リム側給水路３８からリム吐水口１８へ洗浄水を供給する。なお、このリム吐水口１８からのリム吐水は、タンク給水が開始される前（ステップＳ２２）まで継続して行われる。
【００４１】
ステップＳ１１においてリム吐水口１８からのリム吐水が開始されてから所定時間Ｔ１が経過したときに、ジェット吐水口１６からのジェット吐水を開始する（ステップＳ１２，１３）。つまり、コントローラ６２は、加圧ポンプ２２を作動させて、貯水タンク２０に貯水された洗浄水をジェット側給水路４６を介してジェット吐水口１６へ供給する。
【００４２】
なお、ステップＳ１３においてジェット吐水口１６からのジェット吐水が開始されるにあたり、図４のステップＳ１において使用者によって押された便器洗浄スイッチの種類が大洗浄であったか、それとも小洗浄であったかによってフローが分かれる（ステップＳ１４）。
【００４３】
ステップＳ１４において大洗浄であった場合、つまりステップＳ１において使用者によって押された便器洗浄スイッチの種類が大洗浄であった場合、貯水タンク２０内の水位が大洗浄時の死水水位に到達するまで貯水タンク２０からジェット吐水口１６への洗浄水の供給を行なった後に、ジェット吐水を停止する（ステップＳ１５，１６，２０）。
具体的にいうと、コントローラ６２は、貯水タンク２０内の下方フロートスイッチ６４ｂがオンに切り替わったか否かを判断する（ステップＳ１５）。ステップＳ１５において、下方フロートスイッチ６４ｂがオンに切り替わっていないと判断した場合、コントローラ６２は、ジェット吐水を開始してから所定時間Ｔ２が経過したか否かを判断する（ステップＳ１６）。このステップＳ１６は、下方フロートスイッチ６４ｂが故障していてオフに切り替わらなかった場合の安全タイマーである。ステップＳ１６において、ジェット吐水を開始してから所定時間Ｔ２が経過したと判断した場合、もしくは、ステップＳ１５において、下方フロートスイッチ６４ｂがオンに切り替わったと判断した場合、ジェット吐水を停止する（ステップＳ２０）。すなわち、コントローラ６２は、加圧ポンプ２２を停止させて貯水タンク２０からのジェット側給水路４６を介したジェット吐水口１６への洗浄水の供給を停止させる。
なお、本実施形態においては、ステップＳ１５において下方フロートスイッチ６４ｂがオンに切り替わったときにジェット吐水を停止する（ステップＳ２０）こととしたが、本発明はこれに限らず、貯水タンク２０からジェット吐水口１６への洗浄水の供給量や下方フロートスイッチ６４ｂが設けられる位置に応じて、ステップＳ１５において下方フロートスイッチ６４ｂがオンに切り替わってから所定時間が経過したときにジェット吐水を停止させてもよい。
【００４４】
ステップＳ１４において小洗浄であった場合、つまりステップＳ１において使用者によって押された便器洗浄スイッチの種類が小洗浄であった場合、貯水タンク２０内の水位が小洗浄時の死水水位に到達するまで貯水タンク２０からジェット吐水口１６への洗浄水の供給を行なった後に、ジェット吐水を停止する（ステップＳ１７〜２０）。
具体的にいうと、コントローラ６２は、貯水タンク２０内の上方フロートスイッチ６４ａがオフに切り替わったか否かを判断する（ステップＳ１７）。ステップＳ１７において、上方フロートスイッチ６４ａがオフに切り替わったと判断した場合、上方フロートスイッチ６４ａがオフに切り替わってから所定時間Ｔ３が経過した後にジェット吐水を停止する（ステップＳ１８，２０）。ステップＳ１７において、上方フロートスイッチ６４ａがオフに切り替わっていないと判断した場合、コントローラ６２は、ジェット吐水を開始してから所定時間Ｔ４が経過したか否かを判断する（ステップＳ１９）。このステップＳ１９は、上方フロートスイッチ６４ａが故障していてオフに切り替わらなかった場合の安全タイマーである。ステップＳ１９において、ジェット吐水を開始してから所定時間Ｔ４が経過した場合、ステップＳ２０へと進み、ジェット吐水を停止する。
【００４５】
貯水タンク２０から便器本体２への洗浄水の供給開始から供給停止までをすべてタイマー制御すると、便器の製造誤差の影響で貯水タンク２０から便器本体２へ供給される洗浄水の量にバラつきが生じてしまう虞がある。
しかし、本実施形態のように小洗浄時において貯水タンク２０からジェット吐水口１６への洗浄水の供給の停止を全てタイマー制御にて行なうのではなく、貯水タンク２０内の水位の所定水位までの下降を、本来貯水タンク２０内に洗浄水が供給されるときの貯水タンク２０の水位を検出するための上方フロートスイッチ６４ａを利用することにより、小洗浄時における貯水タンク２０から便器本体２への洗浄水の供給量のバラつきを抑制することができる。
【００４６】
ステップＳ２０においてジェット吐水を停止してから所定時間Ｔ５が経過した後、リム吐水口１８からのリム吐水を停止して、貯水タンク２０へ洗浄水を供給するタンク給水を開始する（ステップＳ２１〜２３）。つまり、ジェット吐水を停止してから所定時間Ｔ５が経過したとき、コントローラ６２は、給水路切替弁３６を切り替え制御して、全洗浄水をリム側に供給する状態（リム１００％）から全洗浄水をタンク側に供給する状態（タンク１００％）に切り替えてタンク給水を開始する。
【００４７】
次に、タンク給水開始後のフローについて図６を参照して説明する。
【００４８】
まずは、上方フロートスイッチ６４ａ及び下方フロートスイッチ６４ｂが故障しておらず、正常な状態である場合について、図６を用いて説明する。
タンク給水開始から一定時間が経過すると、まず貯水タンク２０内の水位が下方位置Ｌ３まで上昇してきて下方フロートスイッチ６４ｂがオフとなる（ステップＳ２４）。その後、さらに一定時間が経過すると、貯水タンク２０内の水位が上方位置Ｌ１まで上昇してきて今度は上方フロートスイッチ６４ａがオンとなる（ステップＳ２５）。これにより、ステップＳ２５からステップＳ３０へと進み、タンク給水が停止される（ステップＳ３０）。
【００４９】
次に、下方フロートスイッチ６４ｂに故障等の異常があり、オンからオフに切り替わらずにオンのままとなってしまう場合について説明する。
タンク給水開始から一定時間が経過すると、貯水タンク２０内の水位が上昇してきて貯水タンク２０内の水位が下方位置Ｌ３まで上昇する。しかし、上述したように、下方フロートスイッチ６４ｂには故障等の異常があり、オフに切り替わらずにオンのままとなる。そして、タンク給水開始から所定時間Ｔ６が経過するまで下方フロートスイッチ６４ｂがオフに切り替わらなかった場合、コントローラ６２は、下方フロートスイッチ６４ｂの異常を検知する（ステップＳ２６）。そして、下方フロートスイッチ６４ｂの異常を検知した場合、コントローラ６２は給水路切替弁３６を切り替え制御して、全洗浄水のうちタンク側に２０〜３０％、リム側に７０〜８０％を供給する状態（タンク２０〜３０％、リム７０〜８０％）にし、タンク給水開始から所定時間Ｔ８が経過するまでタンク給水を行なった後にタンク給水を停止する（ステップＳ２８〜３０）。
【００５０】
最後に、上方フロートスイッチ６４ａに故障等の異常があり、オフからオンに切り替わらずにオフのままとなってしまう場合について説明する。
タンク給水開始から一定時間が経過すると、貯水タンク２０内の水位が上昇してきて貯水タンク２０内の水位が下方位置Ｌ３まで上昇する。このとき、下方フロートスイッチ６４ｂが正常であるとすると、下方フロートスイッチ６４ｂがオフとなる（ステップＳ２４）。その後、さらに一定時間が経過すると、貯水タンク２０内の水位がさらに上昇してきて貯水タンク２０内の水位が上方位置Ｌ１まで上昇する。しかし、上述したように、上方フロートスイッチ６４ａには故障等の異常があり、オンに切り替わらずにオフのままとなる。そして、ステップＳ２４での下方フロートスイッチ６４ｂのオフへの切り替わりから所定時間Ｔ７が経過するまでに上方フロートスイッチ６４ａがオンに切り替わらなかった場合、コントローラ６２は、上方フロートスイッチ６４ａの異常を検知する（ステップＳ２７）。そして、上方フロートスイッチ６４ａの異常を検知した場合、コントローラ６２は給水路切替弁３６を切り替え制御して、全洗浄水のうちタンク側に２０〜３０％、リム側に７０〜８０％を供給する状態（タンク２０〜３０％、リム７０〜８０％）にしてタンク給水開始から所定時間Ｔ８が経過するまでタンク給水を行なった後に、タンク給水を停止する（ステップＳ２８〜３０）。
【００５１】
次に、本実施形態における水洗大便器の作用効果を説明する。
【００５２】
本実施形態において、水洗大便器１は、貯水タンク２０内に洗浄水が供給されるタンク給水時において上方フロートスイッチ６４ａもしくは下方フロートスイッチ６４ｂの異常を検知したとき、全洗浄水をタンク側に供給する状態（タンク１００％）から、全洗浄水のうちタンク側に２０〜３０％、リム側に７０〜８０％を供給する状態（タンク２０〜３０％、リム７０〜８０％）に給水路切替弁３６を切り替えて貯水タンク２０への洗浄水の供給を行なう。つまり、コントローラ６２は、タンク給水時において上方フロートスイッチ６４ａもしくは下方フロートスイッチ６４ｂの異常を検知したとき、貯水タンク２０に供給される洗浄水の流量が、貯水タンク２０からオーバーフロー流路７０へ流出可能な洗浄水の最大流量以下となるように、給水路切替弁３６を切り替え制御する。これにより、上方フロートスイッチ６４ａもしくは下方フロートスイッチ６４ｂが故障していたとしても、貯水タンク２０内の洗浄水をオーバーフロー流路７０から確実に便器本体２へ逃がすことができるため、貯水タンク２０内の洗浄水がタンク側給水路４０へ逆流したり、貯水タンク２０外へ洗浄水が溢れてしまったりすることを防止することができる。
加えて、タンク給水時において確実に貯水タンク２０に供給される洗浄水を止水水位ＷＦＬまで貯めることができるため、上方フロートスイッチ６４ａもしくは下方フロートスイッチ６４ｂが故障していたとしても、水洗大便器１を不便なく使用することができる。
【００５３】
また、本実施形態において、タンク給水時に上方フロートスイッチ６４ａもしくは下方フロートスイッチ６４ｂの異常を検知したとき、リム吐水口１８からも洗浄水が吐水され（タンク２０〜３０％、リム７０〜８０％）、タンク給水時というリム吐水が行なわれるはずではないタイミングでリム吐水が行なわれることにより、使用者が上方フロートスイッチ６４ａもしくは下方フロートスイッチ６４ｂの異常に気付くことができる。
【００５４】
また、本実施形態において、水洗大便器１のコントローラ６２は、貯水タンク２０が空状態のときに貯水タンク２０への洗浄水の供給を開始させるタンク空給水時において、水洗大便器１を施工してから初回のタンク空給水時の場合は、貯水タンク２０に供給される洗浄水の流量が貯水タンク２０からオーバーフロー流路７０へ流出可能な洗浄水の最大流量より多くなるように給水路切替弁３６を切り替え制御する（タンク１００％）一方で、水洗大便器１を施工してから２回目以降のタンク空給水時の場合は、貯水タンク２０に供給される洗浄水の流量が貯水タンク２０からオーバーフロー流路７０へ流出可能な洗浄水の最大流量以下となるように給水路切替弁３６を切り替え制御する（タンク２０〜３０％、リム７０〜８０％）。これにより、水洗大便器１を施工してから初回のタンク空給水時という貯水タンク２０内が確実に空状態のときにおいては、貯水タンク２０内に供給される洗浄水の流量をできるだけ多くしてなるべく早く貯水タンク２０内を満水状態にすることにより、水洗大便器１を施工してから水洗大便器１を使える状態にするまでに掛かる時間を短縮することができる。
【００５５】
以上、本願の開示する技術の実施形態について説明したが、本願の開示する技術は、上記に限定されるものではない。
【００５６】
例えば、上記実施形態においては、貯水タンク２０内の洗浄水をジェット側給水路４６を介してジェット吐水口１６へ供給することとしたが、本発明はこれに限らず、貯水タンク２０内の洗浄水をリム吐水口１８へ供給するような構成としてもよい。また、同様に、オーバーフロー流路７０に流入した洗浄水を、リム吐水口１８から便器本体２へ逃がすような構成としてもよい。
【００５７】
また、上記実施形態においては、給水路切替弁３６を切り替え制御して全洗浄水のうちリム側に供給される洗浄水の割合とタンク側に供給される洗浄水の割合とを調整して、貯水タンク２０へ供給される洗浄水の流量を調整することとしたが、本発明はこれに限らず、例えば単純に給水源から供給された洗浄水を貯水タンク２０に供給する流量を調整可能な流量調整弁を設けることとしてもよい。
【００５８】
前述した各実施の形態が備える各要素は、技術的に可能な限りにおいて組み合わせることができ、これらを組み合わせたものも本発明の特徴を含む限り本発明の範囲に包含される。
【符号の説明】
【００５９】
１        水洗大便器
２        便器本体
４        便座
６        カバー
８        局部洗浄装置
１０      機能部
１１      サイドパネル
１２      ボウル部
１４      排水トラップ管路
１４ａ    入口部
１４ｂ    トラップ上昇管
１４ｃ    トラップ下降管
１４ｄ    頂部
１５      排水管
１６      ジェット吐水口
１８      リム吐水口
２０      貯水タンク
２２      加圧ポンプ
２４      給水路
２６      止水栓
２８      ストレーナ
３０      分岐金具
３２      定流量弁
３４      電磁開閉弁
３６      給水路切替弁
３７      バルブユニット（給水手段）
３８      リム側給水路
４０      タンク側給水路
４２      バキュームブレーカ
４３      逆止弁
４４      逆止弁
４６      ジェット側給水路
４６ａ    上流ジェット側給水路
４６ｂ    下流ジェット側給水路
４８      リム吐水用バキュームブレーカ
５０      戻り管路
５６      ジェット吐水用フラッパー弁
５８      水抜栓
６０      水受けトレイ
６２      コントローラ（制御手段）
６４ａ    上方フロートスイッチ（上方水位検出手段）
６４ｂ    下方フロートスイッチ（下方水位検出手段）
７０      オーバーフロー流路
７０ａ    開口
７０ｂ    他端
Ａ        溜水面
【図１】
2018100575.tif 000003
【図２】
2018100575.tif 000004
【図３】
2018100575.tif 000005
【図４】
2018100575.tif 000006
【図５】
2018100575.tif 000007
【図６】
2018100575.tif 000008